(57)【要約】【課題】  撮像された画像を遅延することなくほぼ実時間で表示する。【解決手段】  再生系タイミングジェネレータ２３は、メモリ制御回路２２及び再生系２０内の他の回路で使用される水平同期信号及び垂直同期信号を生成する。さらに、再生系タイミングジェネレータ２３は、再生系の垂直同期信号に同期した同期用パルスを生成し、この同期用パルスを撮像系タイミングジェネレータ１３に供給する。これにより、撮像系タイミングジェネレータ１３と再生系タイミングジェネレータ２３は、互いに同期がとれた状態で、それぞれ同期信号を生成する。【選択図】        図１
2006129275.tif 000002
【特許請求の範囲】
【請求項１】
被写体を撮像する撮像系と、
前記撮像系を駆動させる撮像系タイミング信号を生成する撮像系タイミング信号生成手段と、
画像信号を記憶する記憶手段と、
再生系タイミング信号を生成する再生系タイミング信号生成手段と、
前記撮像系で撮像された画像信号を前記記憶手段に書き込み、前記再生系タイミング信号生成手段により生成された再生系タイミング信号に同期して、前記記憶手段に記憶されている画像信号を読み出す制御を行う制御手段と、
前記制御手段により読み出された画像信号に基づく画像を表示する表示手段と、を備え、
前記撮像系タイミング信号生成手段と前記再生系タイミング信号生成手段は、同期していること
を特徴とする撮像装置。
【請求項２】
前記再生系タイミング信号生成手段は、所定周期毎に同期信号を生成し、
前記撮像系タイミング信号生成手段は、前記再生系タイミング信号生成手段で生成された同期信号に同期して、前記撮像系タイミング信号を生成すること
を特徴とする請求項１に記載の撮像装置。
【請求項３】
前記撮像系タイミング信号生成手段は、所定周期毎に同期信号を生成し、
前記再生系タイミング信号生成手段は、前記撮像系タイミング信号生成手段で生成された同期信号に同期して、前記再生系タイミング信号を生成すること
を特徴とする請求項１に記載の撮像装置。
【請求項４】
前記制御手段は、画像信号の書込時間が読出時間より長いときは、画像信号の読出期間の中間タイミングが、画像信号の書込期間の中間タイミングよりも後になるように制御すること
を特徴とする請求項１から請求項２に記載の撮像装置。
【請求項５】
前記制御手段は、画像信号の書込時間が読出時間より短いときは、画像信号の読出開始タイミングが、画像信号の書込開始タイミングよりも後になるように制御すること
を特徴とする請求項１または請求項２に記載の撮像装置。
【請求項６】
前記制御手段により読み出された画像信号の解像度変換を行う解像度変換手段を更に備え、
前記表示手段は、前記解像度変換手段により解像度変換された画像信号に基づく画像を表示すること
を特徴とする請求項１から請求項３のいずれか１項に記載の撮像装置。
【請求項７】
前記撮像系で撮像された画像信号の解像度変換を行う解像度変換手段を更に備え、
前記制御手段は、前記解像度変換手段により解像度変換された画像信号を前記記憶手段に書き込むこと
を特徴とする請求項１から請求項３のいずれか１項に記載の撮像装置。
【発明の詳細な説明】
【技術分野】
【０００１】
本発明は、撮像装置に係り、特に、撮像系から出力された画像を表示するのに用いて好適な撮像装置に関する。
【背景技術】
【０００２】
いわゆるディジタルカメラは、ユーザが撮影画像を確認できるように、ＣＣＤイメージセンサで撮像された画像をスルー画像として液晶ファインダに表示する。しかし、ＣＣＤイメージセンサと液晶ファインダは非同期でそれぞれ駆動されいるため、ＣＣＤイメージセンサで撮像された画像をそのまま液晶ファインダに表示できない問題がある。
【０００３】
これに対して、外部から非同期に転送された画像データを毎秒６０フィールドで連続再生する表示装置が提案されている（例えば、特許文献１を参照。）。特許文献１に記載された表示装置は、画像１枚分の容量を有し、外部からのデータ転送用と画像再生用に使用する２つのメモリと、２つのメモリの機能を交換する制御回路と、画像を再生する回路と、を備えたものである。かかる構成により、上記表示装置は、外部からのデータ転送と画像再生を非同期に同時に行うことができる。
【０００４】
また、高精細な解像度を保ち、画像の欠落や不自然な表示を生じさせないように動画表示する表示装置が提案されている（例えば、特許文献２を参照。）。特許文献２に記載された表示装置は、３つの記憶手段にそれぞれ供給されるデータの入出力を制御して、取り込んだ画像と出力画像の記憶手段を別々にして、１つの記憶手段への二重アクセスを禁止している。そして、上記表示装置は、記憶手段からデータを所定単位毎に出力して、タイミング調整されたデータを表示手段に表示している。
【特許文献１】特開平６−１２４０７３号公報
【特許文献２】特開平１１−２９６１５５号公報
【発明の開示】
【発明が解決しようとする課題】
【０００５】
しかし、特許文献１及び２に記載された表示装置は、例えば、１フレーム分遅延した画像でなければ表示することができず、外部から入力されたデータを実時間で表示することができない問題があった。
【０００６】
本発明は、このような課題を解決するために提案されたものであり、撮像された画像を遅延することなくほぼ実時間で表示することができる撮像装置を提供することを目的とする。
【課題を解決するための手段】
【０００７】
本発明に係る撮像装置は、被写体を撮像する撮像系と、前記撮像系を駆動させる撮像系タイミング信号を生成する撮像系タイミング信号生成手段と、画像信号を記憶する記憶手段と、再生系タイミング信号を生成する再生系タイミング信号生成手段と、前記撮像系で撮像された画像信号を前記記憶手段に書き込み、前記再生系タイミング信号生成手段により生成された再生系タイミング信号に同期して、前記記憶手段に記憶されている画像信号を読み出す制御を行う制御手段と、前記制御手段により読み出された画像信号に基づく画像を表示する表示手段と、を備え、前記撮像系タイミング信号生成手段と前記再生系タイミング信号生成手段は、同期していることを特徴とする。
【０００８】
撮像系は、撮像系タイミング信号生成手段により生成された撮像系タイミング信号により駆動される。なお、撮像系は、被写体を撮像するだけでなく、撮像により得られた画像に所定の処理を施してもよい。
【０００９】
制御手段は、撮像系で撮像された画像信号を記憶手段に書き込む制御を行う。さらに、制御手段は、再生系タイミング信号生成手段により生成された再生系タイミング信号に同期して、記憶手段に記憶されている画像信号を読み出す制御を行う。
【００１０】
ここで、撮像系タイミング信号生成手段と前記再生系タイミング信号生成手段は同期しているので、記憶手段への画像データの書込と読出が同期しており、画像データを書き込んでから読み出すまでを短時間で行うことができる。そして、表示手段は、制御手段により読み出された画像信号に基づく画像を表示する。
【００１１】
したがって、本発明に係る撮像装置は、撮像系タイミング信号生成手段と前記再生系タイミング信号生成手段とが同期することで、記憶手段への画像データの書込と読出を同期させて、画像データを書き込んでから読み出すまでを短時間で行うことが可能になり、その結果、撮像系で撮像された画像をほぼ実時間で表示手段に表示させることができる。
【００１２】
ここで、撮像系タイミング信号生成手段と前記再生系タイミング信号生成手段とを同期させるために、例えば次のようにすればよい。
【００１３】
前記再生系タイミング信号生成手段は、所定周期毎に同期信号を生成し、前記撮像系タイミング信号生成手段は、前記再生系タイミング信号生成手段で生成された同期信号に同期して、前記撮像系タイミング信号を生成してもよい。前記撮像系タイミング信号生成手段は、所定周期毎に同期信号を生成し、前記再生系タイミング信号生成手段は、前記撮像系タイミング信号生成手段で生成された同期信号に同期して、前記再生系タイミング信号を生成してもよい。
【００１４】
いわゆる電子ズームを行うときは、制御手段は、画像データの全部又は一部を記憶手段に書き込み、記憶手段に記憶された画像信号の全部又は一部を読み出すことがある。
【００１５】
このとき、制御手段は、画像信号の書込時間が読出時間より長いときは、画像信号の読出期間の中間タイミングが、画像信号の書込期間の中間タイミングよりも後になるように制御するとよい。また、制御手段は、画像信号の書込時間が読出時間より短いときは、画像信号の読出開始タイミングが、画像信号の書込開始タイミングよりも後になるように制御するとよい。これにより、電子ズームを行うときでも、画像信号の読出開始タイミングが書込開始タイミングより前になるのを防止できる。
【発明の効果】
【００１６】
本発明に係る撮像装置は、撮像系タイミング信号生成手段と前記再生系タイミング信号生成手段とが同期することで、記憶手段への画像データの書込と読出を同期させて、画像データを書き込んでから読み出すまで短時間で行うことが可能になり、その結果、撮像系で撮像された画像をほぼ実時間で表示手段に表示させることができる。
【発明を実施するための最良の形態】
【００１７】
以下、本発明を実施するための最良の形態について、図面を参照しながら詳細に説明する。
【００１８】
［第１の実施形態］
図１は、本発明の第１の実施形態に係る撮像装置の構成を示すブロック図である。上記撮像装置は、被写体を撮像する撮像系１０、再生処理を行う再生系２０、画像データを記憶するメモリ３０、テレビジョン方式のビデオ信号に基づく画像を表示するＴＶ用ＬＣＤ４０と、及び画像を表示するＬＣＤ５０を備えている。
【００１９】
撮像系１０は、画像信号を生成するＣＣＤイメージセンサ１１と、ＣＣＤイメージセンサ１１で生成された画像信号に所定の処理を施すアナログ信号処理回路１２と、撮像系同期信号を生成する撮像系タイミングジェネレータ１３と、を備えている。
【００２０】
ＣＣＤイメージセンサ１１は、撮像系タイミングジェネレータ１３で生成された水平及び垂直同期信号に基づいて駆動され、被写体からの撮像光に応じて画像信号を生成し、この画像信号をアナログ信号処理回路１２に供給する。
【００２１】
アナログ信号処理回路１２は、撮像系タイミングジェネレータ１３で生成された同期信号に基づいて駆動される。アナログ信号処理回路１２は、ＣＣＤイメージセンサ１１で生成された画像信号に対して、例えば、相関二重サンプリング処理を施し、その後、アナログ／ディジタル（Ａ／Ｄ）変換する。そして、ディジタル信号に変換された画像データは、再生系２０に供給される。
【００２２】
撮像系タイミングジェネレータ１３は、ＣＣＤイメージセンサ１１を駆動させるための水平同期信号及び垂直同期信号を生成し、さらにアナログ信号処理回路１２を駆動させるための同期信号（例えば、サンプルホールドパルス、Ａ／Ｄ変換用クロックなど）も生成する。
【００２３】
再生系２０は、画像データに対して所定の処理を施すディジタル信号処理回路２１と、メモリ３０への画像データの書き込みや読み出しを制御するメモリ制御回路２２と、再生系同期信号を生成する再生系タイミングジェネレータ２３と、画像データをディジタル信号からアナログ信号に変換するディジタル／アナログ（Ｄ／Ａ）変換器２４と、画像データをＬＣＤ５０で表示可能な方式に変換するＬＣＤインタフェース（Ｉ／Ｆ）２５と、再生系２０全体を制御するＣＰＵ２６と、を備えている。
【００２４】
ディジタル信号処理回路２１は、アナログ信号処理回路１２から供給される画像データに、例えばガンマ補正、ＲＢＧ補間処理、ＹＣ変換処理等の画像処理を施す。メモリ制御回路２２は、ディジタル信号処理回路２１で画像処理の施された画像データをメモリ３０に書き込んだり、メモリ３０から画像データを読み出す制御を行う。なお、メモリ制御回路２２は、再生系タイミングジェネレータ２３で生成された同期信号に同期して、画像データの読出を行う。
【００２５】
電子ズーム処理を行う場合、メモリ制御回路２２は、ディジタル信号処理回路２１から供給された１枚分の画像データの一部（ズームしたい部分の画像データ）をメモリ３０に書き込み、そして、メモリ３０に記憶された画像データを１枚分の画像データとして読み出すこともできる。また、メモリ制御回路２２は、１枚分の画像データ全部をメモリ３０に書き込み、ズームしたい部分の画像データのみをメモリ３０から読み出してもよい。
【００２６】
再生系タイミングジェネレータ２３は、メモリ制御回路２２及び再生系２０内の他の回路で使用される再生系水平同期信号及び再生系垂直同期信号を生成する。さらに、再生系タイミングジェネレータ２３は、再生系垂直同期信号に同期した同期用パルスを生成し、この同期用パルスを撮像系タイミングジェネレータ１３に供給する。これにより、撮像系タイミングジェネレータ１３は、再生系タイミングジェネレータ２３と同期がとれた状態で、同期信号を生成する。
【００２７】
メモリ制御回路２２は、再生系タイミングジェネレータ２３で生成された同期信号に同期してメモリ３０から画像データを読み出すと、この画像データを、再生系タイミングジェネレータ２３を介してＤ／Ａ変換器２４及びＬＣＤインタフェース２５に供給する。なお、Ｄ／Ａ変換器２４でアナログ信号に変換された画像信号は、テレビジョン方式（例えばＮＴＳＣ方式）のビデオ信号に変換された後、ＴＶ用ＬＣＤ４０に供給される。
【００２８】
これにより、ＴＶ用ＬＣＤ４０は、上記ビデオ信号に基づく画像を表示する。また、ＬＣＤ５０は、ＬＣＤインタフェース２５を介して供給された画像データに基づいて、画像を表示する。
【００２９】
以上のように構成された撮像装置では、再生系タイミングジェネレータ２３が次のタイミングで同期用パルスを生成することによって、撮像系タイミングジェネレータ１３と再生系タイミングジェネレータ２３の同期がとれている。
【００３０】
図２（Ａ）は撮像系垂直同期信号、（Ｂ）は書込期間の画像データ（ＣＣＤ有効データ）、（Ｃ）は再生系垂直同期信号、（Ｄ）は読出期間の画像データ（再生有効データ）、（Ｅ）は同期パルスのタイミングチャートである。
【００３１】
再生系タイミングジェネレータ２３は、再生系垂直同期信号より一定期間（＜＜垂直走査期間）位相が進んだ同期用パルスを垂直走査期間毎に生成する。一方、撮像系タイミングジェネレータ１３は、再生系タイミングジェネレータ２３から同期用パルスが供給されるタイミングに同期して撮像系垂直同期信号を生成する。これにより、再生系垂直同期信号は、撮像系垂直同期信号より一定期間遅れた位相となる。
【００３２】
そして、メモリ制御回路２２は、撮像系垂直同期信号のタイミング後にメモリ３０に画像データを書き込み、再生系垂直同期信号のタイミング後にメモリ３０から画像データを読み出す。このとき更に、メモリ制御回路２２は、画像データの読出開始タイミングが書込開始タイミングよりも所定時間後（例えば、一水平走査期間後）のタイミングで、メモリ３０から画像データを読み出す。なお、上記所定時間は、一水平走査期間に限定されるものではなく、任意に設定可能である。
【００３３】
このように、画像データの書込期間と読出期間の同期がとれているので、メモリ制御回路２２は、書込開始タイミングから非常に短かい時間が経過しただけで、画像データの読み出しを開始できる。
【００３４】
また、再生系２０が、例えばテレビジョン方式のビデオ信号に基づく再生処理を行って他のデバイスに同期することができない場合であっても、再生系タイミングジェネレータ２３が同期用パルスを撮像系タイミングジェネレータ１３に供給することによって、撮像系１０を再生系２０に同期させることができる。そして、メモリ制御回路２２から読み出された画像データに基づいて、ＴＶ用ＬＣＤ４０やＬＣＤ５０に画像が表示される。
【００３５】
以上のように、上記撮像装置は、タイミングジェネレータ１３と再生系タイミングジェネレータ２３の同期をとることによって、メモリ３０への書込開始タイミングから非常に短かい時間が経過しただけで、メモリ３０から画像データの読み出しを開始できる。これにより、ＴＶ用ＬＣＤ４０やＬＣＤ５０には、ＣＣＤイメージセンサ１１で撮像されたほぼ実時間のスルー画像が表示される。
【００３６】
なお、メモリ制御回路２２は、次のようにして、画像データの読出開始タイミングを制御してもよい。
【００３７】
図３（Ａ）は撮像系垂直同期信号、（Ｂ）は書込期間の画像データ（ＣＣＤ有効データ）、（Ｃ）は再生系垂直同期信号、（Ｄ）は読出期間の画像データ（再生有効データ）、（Ｅ）は同期パルスのタイミングチャートである。メモリ制御回路２２は、画像データの読出期間の中間タイミングが書込期間の中間タイミングよりも所定時間後（例えば、一水平走査期間後）になるように、メモリ３０から画像データを読み出せばよい。
【００３８】
図４は１倍電子ズームを行うときのタイミングチャートであり、（Ａ）は撮像系垂直同期信号、（Ｂ）は書込期間の画像データ（ＣＣＤ有効データ）、（Ｃ）は再生系垂直同期信号、（Ｄ）は読出期間の画像データ（再生有効データ）、（Ｅ）は同期パルスのタイミングチャートである。この場合、ＣＣＤ有効ライン出力時間が再生有効ライン出力時間よりも長い（書込時間が読出時間よりも長い）ので、メモリ制御回路２２は、画像データの読出期間の中間タイミングが書込期間の中間タイミングよりも所定時間後になるように、メモリ３０から画像データを読み出せばよい。
【００３９】
図５は１．２倍電子ズームを行うときのタイミングチャートであり、（Ａ）は撮像系垂直同期信号、（Ｂ）は書込期間の画像データ（ＣＣＤ有効データ）、（Ｃ）は再生系垂直同期信号、（Ｄ）は読出期間の画像データ（再生有効データ）、（Ｅ）は同期パルスのタイミングチャートである。
【００４０】
メモリ制御回路２２は、同図（Ｂ）に示すように、ＣＣＤイメージセンサ１１から読み出された画像データのうち一部の画像データ（ズーム箇所の画像データ）のみをメモリ３０に書き込む。この場合も、ＣＣＤ有効ライン出力時間が再生有効ライン出力時間よりも長いので、メモリ制御回路２２は、画像データの読出期間の中間タイミングが書込期間の中間タイミングよりも所定時間後になるように、メモリ３０から画像データを読み出せばよい。
【００４１】
図６は１．４倍電子ズームを行うときのタイミングチャートであり、（Ａ）は撮像系垂直同期信号、（Ｂ）は書込期間の画像データ（ＣＣＤ有効データ）、（Ｃ）は再生系垂直同期信号、（Ｄ）は読出期間の画像データ（再生有効データ）、（Ｅ）は同期パルスのタイミングチャートである。図７は２倍電子ズームを行うときのタイミングチャートであり、（Ａ）は撮像系垂直同期信号、（Ｂ）は書込期間の画像データ（ＣＣＤ有効データ）、（Ｃ）は再生系垂直同期信号、（Ｄ）は読出期間の画像データ（再生有効データ）、（Ｅ）は同期パルスのタイミングチャートである。
【００４２】
いずれの場合であっても、メモリ制御回路２２は、ＣＣＤイメージセンサ１１から読み出された画像データのうち一部の画像データ（ズーム箇所の画像データ）のみをメモリ３０に書き込む。この場合、ＣＣＤ有効ライン出力時間が再生有効ライン出力時間よりも短い（書込時間が読出時間よりも短い）ので、メモリ制御回路２２は、画像データの読出開始タイミングが書込開始タイミングよりも所定時間後になるように、メモリ３０から画像データを読み出せばよい。
【００４３】
特に上記のようにズーム倍率が大きい場合は、メモリ制御回路２２は、画像データの読出開始タイミングが書込開始タイミングよりも所定時間後になるように制御することによって、読出開始タイミングが書込開始タイミングより前になるのを確実に防止して、電子ズームを円滑に実行することができる。
【００４４】
以上のように、本発明の第１の実施形態に係る撮像装置は、撮像系タイミングジェネレータ１３が再生系タイミングジェネレータ２３で生成された同期用パルスに同期することにより、メモリ３０への画像データの書込期間と読出期間を同期させることができる。この結果、上記撮像装置は、書込開始タイミングと読出開始タイミングが逆転することがなくなるので、メモリ３０への書込開始タイミングから非常に短時間が経過しただけでも、メモリ３０から画像データの読み出しを開始することができる。よって、ＣＣＤイメージセンサ１１で撮像されたスルー画像を、ほぼ実時間でＴＶ用ＬＣＤ４０やＬＣＤ５０に表示させることができる。
【００４５】
また、撮像装置は、電子ズームを行う場合は、画像データの読出開始タイミングが書込開始タイミングよりも後になるように制御することによって、読出開始タイミングが書込開始タイミングより前になるのを防止し、電子ズームを確実に実行することができる。
【００４６】
［第２の実施形態］
つぎに、本発明の第２の実施形態について説明する。なお、第１の実施形態と同一の部位には同一の符号を付し、その詳細な説明は省略する。
【００４７】
図８は、第２の実施形態に係る撮像装置の構成を示すブロック図である。第２の実施形態に係る撮像装置は、第１の実施形態と比較して再生系の構成が異なっている。具体的には、第２の実施形態に係る再生系２０Ａは、図１に示した再生系２０の構成に加えて、拡大縮小回路２７を備えている。
【００４８】
拡大縮小回路２７は、拡大率又は縮小率に応じて画像データの解像度を変換する。拡大縮小回路２７は、メモリ制御回路２２により読み出された画像データに対して解像度を変換し、解像度変換済みの画像データを、再生系タイミングジェネレータ２３を介してＤ／Ａ変換器２４及びＬＣＤインタフェース２５に供給する。
【００４９】
図９は解像度変換（拡大）を行うときのタイミングチャートであり、（Ａ）は撮像系垂直同期信号ＶＩ、（Ｂ）は撮像系からの画像データ（有効データ）の取込期間、（Ｃ）は画像データの書込期間、（Ｄ）は画像データの読出期間、（Ｅ）は再生系垂直同期信号ＶＤ、（Ｆ）は解像度変換後の画像データ（表示データ）の表示期間を示すタイミングチャートである。
【００５０】
同図に示すように、メモリ制御回路２２は、メモリ３０への画像データの書込開始タイミング後、例えば一水平走査期間後に画像データの読出を開始する。これにより、拡大縮小回路２７は、ほぼ実時間で解像度変換を行うことができる。なお、図９では、画像を拡大する例を挙げて説明したが、画像を縮小する場合も同様にすることができる。
【００５１】
以上のように、第２の実施形態に係る撮像装置は、第１の実施形態の効果に加えて、画像データの拡大又は縮小を行う場合であっても、メモリ３０への書込開始タイミングから非常に短時間が経過しただけでも、メモリ３０から画像データの読み出しを開始することができるので、ＣＣＤイメージセンサ１１で撮像されて拡大又は縮小された画像を、ほぼ実時間でＴＶ用ＬＣＤ４０やＬＣＤ５０に表示させることができる。
【００５２】
［第３の実施形態］
つぎに、本発明の第３の実施形態について説明する。なお、上述した実施形態と同一の部位には同一の符号を付し、その詳細な説明は省略する。
【００５３】
図１０は、第３の実施形態に係る撮像装置の構成を示すブロック図である。第３の実施形態に係る撮像装置は、第２の実施形態と比較して、ＴＶ用ＬＣＤ４０を備えてなく、また再生系の構成が異なっている。さらに、再生系タイミングジェネレータ２３は、撮像系タイミングジェネレータ１３で生成される同期用パルスに同期して、再生系同期信号を生成する。
【００５４】
具体的には、第３の実施形態に係る再生系２０Ｂは、図８に示した再生系２０の構成からＤ／Ａ変換器２４を取り除き、更に拡大縮小回路２７の配置を換えている。拡大縮小回路２７は、ディジタル信号処理回路２１によってディジタル信号処理された画像データに対して、拡大又は縮小処理を行う。
【００５５】
図１１（Ａ）は撮像系垂直同期信号、（Ｂ）はＣＣＤイメージセンサ１１から読み出された画像信号、（Ｃ）は再生系垂直同期信号、（Ｄ）は再生系の画像データ、（Ｅ）は撮像系タイミングジェネレータ１３で生成される同期用パルスのタイミングチャートである。
【００５６】
撮像系タイミングジェネレータ１３は、撮像系垂直同期信号から一定時間位相の遅れた同期用パルスを生成し、これを再生系タイミングジェネレータ２３に供給する。再生系タイミングジェネレータ２３は、同期用パルスに同期して、再生系水平垂直同期信号及び再生系垂直同期信号を生成する。
【００５７】
メモリ制御回路２２は、拡大縮小回路２７で処理された画像データをメモリ３０に書き込む。そして、メモリ制御回路２２は、再生系垂直同期信号に同期しながらメモリ３０から画像データを読み出し、再生系タイミングジェネレータ２３を介してＬＣＤインタフェース２５に供給する。
【００５８】
以上のように、第３の実施形態に係る撮像装置は、再生系タイミングジェネレータ２３が撮像系タイミングジェネレータ１３で生成された同期用パルスに同期することにより、メモリ３０への画像データの書込期間と読出期間を同期させることができる。この結果、上記撮像装置は、メモリ３０への書込開始タイミングから非常に短時間が経過しただけでも、メモリ３０から画像データの読み出しを開始することができ、ＣＣＤイメージセンサ１１で撮像されたスルー画像を、ほぼ実時間でＬＣＤ５０に表示させることができる。
【００５９】
［第４の実施形態］
つぎに、本発明の第４の実施形態について説明する。なお、上述した実施形態と同一の部位には同一の符号を付し、その詳細な説明は省略する。
【００６０】
図１２は、第４の実施形態に係る撮像装置の構成を示すブロック図である。第４の実施形態に係る撮像装置は、図８に示す第２の実施形態とほぼ同様の構成となっているが、撮像系タイミングジェネレータ１３が同期用パルスを生成する点が異なっている。
【００６１】
この場合、撮像系タイミングジェネレータ１３は、第３の実施形態と同様に、撮像系垂直同期信号から一定時間位相の遅れた同期用パルスを生成し、これを再生系タイミングジェネレータ２３に供給する。再生系タイミングジェネレータ２３は、同期用パルスに同期して、再生系水平垂直同期信号及び再生系垂直同期信号を生成する。
【００６２】
メモリ制御回路２２は、ディジタル信号処理回路２１で処理された画像データをメモリ３０に書き込む。そして、メモリ制御回路２２は、再生系垂直同期信号に同期しながらメモリ３０から画像データを読み出し、この画像データを拡大縮小回路２７に供給する。
【００６３】
拡大縮小回路２７は、拡大率又は縮小率に応じて解像度変換を行い、解像度変換済みの画像データを、再生系タイミングジェネレータ２３を介してＤ／Ａ変換器２４及びＬＣＤインタフェース２５に供給する。
【００６４】
以上のように、第４の実施形態に係る撮像装置は、再生系タイミングジェネレータ２３が撮像系タイミングジェネレータ１３で生成された同期用パルスに同期することにより、メモリ３０への画像データの書込期間と読出期間を同期させることができる。この結果、上記撮像装置は、メモリ３０への書込開始タイミングから非常に短時間が経過しただけでも、メモリ３０から画像データの読み出しを開始することができ、解像度変換済みの画像を、ほぼ実時間でＴＶ用ＬＣＤ４０やＬＣＤ５０に表示させることができる。
【図面の簡単な説明】
【００６５】
【図１】図１は、本発明の第１の実施形態に係る撮像装置の構成を示すブロック図である。
【図２】（Ａ）は撮像系垂直同期信号、（Ｂ）は書込期間の画像データ、（Ｃ）は再生系垂直同期信号、（Ｄ）は読出期間の画像データ、（Ｅ）は同期パルスのタイミングチャートである。
【図３】（Ａ）は撮像系垂直同期信号、（Ｂ）は書込期間の画像データ、（Ｃ）は再生系垂直同期信号、（Ｄ）は読出期間の画像データ、（Ｅ）は同期パルスのタイミングチャートである。
【図４】１倍電子ズームを行うときのタイミングチャートであり、（Ａ）は撮像系垂直同期信号、（Ｂ）は書込期間の画像データ、（Ｃ）は再生系垂直同期信号、（Ｄ）は読出期間の画像データ、（Ｅ）は同期パルスのタイミングチャートである。
【図５】１．２倍電子ズームを行うときのタイミングチャートであり、（Ａ）は撮像系垂直同期信号、（Ｂ）は書込期間の画像データ、（Ｃ）は再生系垂直同期信号、（Ｄ）は読出期間の画像データ、（Ｅ）は同期パルスのタイミングチャートである。
【図６】１．４倍電子ズームを行うときのタイミングチャートであり、（Ａ）は撮像系垂直同期信号、（Ｂ）は書込期間の画像データ、（Ｃ）は再生系垂直同期信号、（Ｄ）は読出期間の画像データ、（Ｅ）は同期パルスのタイミングチャートである。
【図７】２倍電子ズームを行うときのタイミングチャートであり、（Ａ）は撮像系垂直同期信号、（Ｂ）は書込期間の画像データ、（Ｃ）は再生系垂直同期信号、（Ｄ）は読出期間の画像データ、（Ｅ）は同期パルスのタイミングチャートである。
【図８】第２の実施形態に係る撮像装置の構成を示すブロック図である。
【図９】解像度変換（拡大）を行うときのタイミングチャートであり、（Ａ）は撮像系垂直同期信号ＶＩ、（Ｂ）は撮像系からの画像データ（有効データ）の取込期間、（Ｃ）は画像データの書込期間、（Ｄ）は画像データの読出期間、（Ｅ）は再生系垂直同期信号ＶＤ、（Ｆ）は解像度変換後の画像データ（表示データ）の表示期間を示すタイミングチャートである。
【図１０】第３の実施形態に係る撮像装置の構成を示すブロック図である。
【図１１】（Ａ）は撮像系垂直同期信号、（Ｂ）はＣＣＤイメージセンサ１１で生成された画像信号、（Ｃ）は再生系垂直同期信号、（Ｄ）は再生系の画像データ、（Ｅ）は同期用パルスのタイミングチャートである。
【図１２】第４の実施形態に係る撮像装置の構成を示すブロック図である。
【符号の説明】
【００６６】
１０  撮像系
１１  ＣＣＤイメージセンサ
１２  アナログ信号処理回路
１３  撮像系タイミングジェネレータ
２０，２０Ａ，２０Ｂ，２０Ｃ  再生系
２２  メモリ制御回路
２７  拡大縮小回路
３０  メモリ
４０  ＴＶ用ＬＣＤ
５０  ＬＣＤ
【図１】
2006129275.tif 000003
【図２】
2006129275.tif 000004
【図３】
2006129275.tif 000005
【図４】
2006129275.tif 000006
【図５】
2006129275.tif 000007
【図６】
2006129275.tif 000008
【図７】
2006129275.tif 000009
【図８】
2006129275.tif 000010
【図９】
2006129275.tif 000011
【図１０】
2006129275.tif 000012
【図１１】
2006129275.tif 000013
【図１２】
2006129275.tif 000014